(57)【要約】      （修正有）【課題】専ら、（電気エネルギー必須の）電磁石を要することなく、主に永久磁石を用いた持続（永続）的な効力・磁力のある（高コストの複雑機構でなく、低コストの簡単構造の）発電装置及び電動装置等を普く、実現化させる。【解決手段】非接触型等の単体の磁気歯車式回転機構（簡易構造体）の向かい合った永久磁石付回転体（特殊回転子）側とその周囲の分離上の磁石板（特種固定子）側のあらゆる局面の要所にかけて、特段、吸引＋反発＋反発の二段以上の磁気エネルギーの自然発生を磁力回転動作の一単位・一ユニットとして、均等な力でなく、不均衡な力をもって、同回転子の外部の固定子から、自然（磁気）エネルギーを享受しながら、その磁気エネルギーを回転（運動）エネルギーへと効果（効率）的に変換しつつ、所定の回転体が、どの回転角度からでも、常々、回転方向沿いに、なお強い力を自ずと掛け続ければよい。【選択図】図１
2020078217.tif 000002
【特許請求の範囲】
【請求項１】
先ず、図１等の通り、（非接触型等の磁気歯車式）回転体・単一体（独特的にも特異な形状の羽根端部をもつ特種回転子）の中心部に、殊更、滑らかなベアリング機構を配した（中心軸固定の）回転軸・軸受けを設けつつ、その回転子の各羽根の先端（末端）部等の付け根あたりに、極力、保磁力等のよい永久磁石を付し、尚且つ、その回転体周囲の直近に、分離上の（同回転体付属の磁石と同等程度か尚強い磁力をもつ）各磁石板・固定子を概ね、図２の様な磁極配列を為した上で配置させ、順次、さしたる（中心軸の位置固定の）回転子と固定子との間（できる限り、狭間）にあって、常々、どの回転角度からでも、回転方向沿いに、それ相応の力、即ち、所定の吸引力と反発力が決して釣り合わない、不均衡な力を掛け続けられるよう、至って、回転の際のあらゆる局面ですら、一方の異極同士のそれ相応の（一段式の斜め上等にかかる）吸引力（固定上の各子が接着し得ず、磁束密度の小さい吸着力）よりも、片方の同極同士のそれ相当の二段以上の反発力（比較的、磁束密度の大きい磁力）をなお強く、瞬時々々（同期的）にも、順々に発生させつつ、自ずから、（発電の為の）回転時にかかる摩擦抵抗力や同回転体にかかる重力等よりも強い（大きい）磁力を要所々々に発しては、常時、同回転子と分離した外部の固定子からの磁気（磁場）エネルギーを回転（運動）エネルギーへと効率的に変換させるという、ごく簡単構造からなる本回転体（特種回転子）に基づいた磁力発電装置及び関連機器（同上装置の複合機等含む）一式。
【請求項２】
前項の磁力回転装置にかけて、なお持続的な回転の際の温度変化（温度上昇）による減磁を避けるべく、適時、温度センサーを介して、自動的に稼動させる冷却装置を配した本回転体用の減磁（消磁）回避システム並びに、所定の各磁石による磁力の最適な数値を事前に割り出しつつ、尚も、その（保）磁力等を維持し得る磁気制御・管理システム及び関連機器（電源切替器や自動回転止め機構上のセット機器等含む）一式。
【請求項３】
請求項１等の（永久磁石付の単体又は複体の）磁力回転装置による回転力を直接又は間接的に、自動車等の各種車両の車輪の稼働用等に応用し、尚且つ、主に固定子上の永久磁石を連結上の関連機器に付した（別個の複合体等の）本磁力回転体により生成される電気エネルギーを利用した電磁石類に改め、適時、「一単位：異極＋同極（＋異極小、無くても可）＋同極の」各ユニットごと、（ギヤの役目・回転速度の変速機能・機構の為の）電磁石の磁力の強弱及び極性の変換や電源切替などを変えつつ、要所々々で臨機応変に対応させた（蓄電池不要の）本磁力回転体の転用上の電動（自動）装置及び関連機器（変速機等含む）一式。
【請求項４】
請求項１等の当該機器（磁気製品）の所定の回転子と固定子の隙間（できる限り、狭間）に於ける      磁極配列云々を別途、直線  （又は局部的に曲線）上等に引き延ばしては、概ね、図？等通り、中央寄りの（回転体でなく）推進体を必要に応じて、常々、各磁石間に働く吸引力と反発力を利用しながら、同体（玩具類等に適用の軽量体）自体、自ずと前進し得るように、主要なる永久磁石等を適所々々に配置させ、且つ又、所定の永久磁石を連結上の（多段式）本磁力回転装置から生成された電気エネルギーをもって、なお強い磁力を発し得る（推進コイル用の）電磁石類に改め、相可能な限り、（列車用等の）重量物の推進体をも、さしたる電磁石による磁力の度合い云々を調整・制御しながら、同推進体の速度等を変更しつつ、程よく進行させるという磁気（浮上）式非接触推進（磁力駆動エンジン）システム及び関連機器一式。
【発明の詳細な説明】
【技術分野】
【０００１】
本発明は、主に永久磁石を用いた発電技術（及び電動技術）等に関するものである。
【背景技術】
【０００２】
従来、関連上の技法として、かの永久機関もどきの磁力回転装置（公知の関係資料参照）などが知られているが、はっきり言って、それ等では、どれもこれも、専ら、さしたる回転動作上にかけて、各磁石（同極）間の反発力のみを主流（起因）にしている傾向が見受けられ、どうしても、ある回転角度下の局面では、さほど、反発力と対の吸引力が均衡（均等）してしまい、尚も逆回転方向に、力（摩擦抵抗力含む）が掛かってしまう為、やむを得ず、その回避策として、必須的にも、作為的に施した電磁石類との併用に頼っているのが実状である。
＊注：本発明品にあっては、とりわけ、回転体の周囲に配した分離上の固定子（磁気エネルギーを発する各磁石板類）など、概ね、当該回転機構体（主なる回転子）の外部にあるともみなせるが故、何ら、永久機関でないことを予め、付け加えておく。
【先行技術文献】
【特許文献】
【０００３】
【特許文献１】（必要があれば）追って提示する。
【非特許文献】
【０００４】
【非特許文献１】（必要があれば）追って提示する。
【発明の概要】
【発明が解決しようとする課題】
【０００５】
専ら、（電気エネルギー・通電必須の）電磁石を要することなく、主に永久磁石を用いた持続（永続）的な効力・磁力のある（高コストの複雑機構でなく、低コストの簡単構造の）発電装置及び電動装置等を普く、実現化させる。
【課題を解決するための手段】
【０００６】
ごく端的に云って、概ね、図１等の様な（非接触型等の単体の）磁気歯車式回転機構（簡易構造体）の向かい合った永久磁石付回転体（特殊回転子）側とその周囲の分離上の磁石板（特種固定子）側のあらゆる局面の要所々々にかけて、特段、（斜角上にかかる）吸引＋反発＋反発の二段（以上）の磁気エネルギーの自然発生を磁力回転動作の一単位・一ユニットとして、専ら、均等な力でなく、不均衡な力をもって、同回転子の外部の固定子から、自然（磁気）エネルギーを享受しながら、その磁気エネルギーを回転（運動）エネルギーへと効果（効率）的に変換しつつ、所定の回転体が、どの回転角度からでも、常々、回転方向沿いに、なお強い力を自ずと掛け続ければよい・・・・云々。（以下、必要に 応じて、追々、手続補正する）
【発明の効果】
【０００７】
本発明機器につき、後々、（超）大型化もしくは（超）小型化など、なお効率的にも幅広く計れれば、無論、その他の発電システム上の（あらゆる）関連機器等々、全く要せず、行く行くは、何ら、環境負荷の発電用の石炭・石油等、不要と相成りて、予てよりのエネルギー問題も少なからず、解消し得る（のではないだろうか）・・・・云々。
【発明を実施するための最良の形態】
【０００８】
追って、手続補正にて表記する。
【実施例】
【０００９】
追って、手続補正にて表記する。
【図面の簡単な説明】
【００１０】
【図１】本磁力式回転体（簡単構造）の独特的な態様を表す（主に各部の名称を示す）概略図。
【図２】（特異形状の）磁石付回転体（回転子）とその周囲の磁石板（固定子）の磁極配列を表示する簡略図。
【図３】当該回転子と固定子間にかかる（一段式の）吸引力及び（二段式の）反発力上の概略（省略）的な磁力線を示す簡略図。
【図４】本磁力式回転体（三段式の磁力反発機構）の態様及び同回転機構体の動作上の移行云々を表示する概略図。
【図５】本磁力式回転機構を直線状に引き延ばした際の中央寄りの（回転体を改めた）推進体とその両サイド間にかかる磁極配列云々を示す簡略図。
【図６】同推進体の両サイドに沿う（ガイド）レール上の（追加の）各固定子にかかる磁力（反発力）を補強させた当該機構の概略図。＊追って、図７等々を提示する。
【図１】
2020078217.tif 000003
【図２】
2020078217.tif 000004
【図３】
2020078217.tif 000005
【図４】
2020078217.tif 000006
【図５】
2020078217.tif 000007
【図６】
2020078217.tif 000008